(57)【要約】【課題】断熱扉の裏面側から前面側に貫通される貫通孔内における押さえ部材の凍結固着を簡易な構成で確実に防止することが可能なドアロック装置を提供する。【解決手段】ハンドル１９を手前方向に引いた場合には、作動板２５は、作動ピン２７と同方向に回動され、該作動板２５の前側端縁部２５Ａがラッチ軸２２に当接しつつ内側方向に回動するため、ラッチ軸２２は内側方向に移動して、ラッチ部材６と係止部材５との係合が解除される。また同時に、作動ピン２７は、解除板３１をハンドルシャフト１８を中心に前側方向に回動するため、操作棒１２は、連結ピン３５が横長溝部３７を移動しつつ、解除板３１の回動に伴って、各貫通孔９Ａ、８Ａ、９Ｂ、１６Ａ内を前側方向に移動され、押さえ部材１１が庫外方向に移動する。【選択図】図３
2007139267.tif 000002
【特許請求の範囲】
【請求項１】
冷却貯蔵庫の前面に開設される出入口用開口部の一側端縁部に回動可能に軸支される断熱扉の反ヒンジ側の前面に取り付けられる本体部材と、
前記本体部材に支軸によって回動可能に軸支されるハンドルと、
前記本体部材から外側方向に突出するように付勢されて、先端部が前記出入口用開口部の他側端縁部の前面部に装着されるラッチ受け部材に係合して、前記ハンドルが回動された場合には、この付勢力に抗して内側方向に移動して前記ラッチ受け部材から離間するラッチ部材と、
前記断熱扉の裏面側から前面側に貫通される貫通孔に挿通されると共に、前記本体部材の前記貫通孔に対向して穿設される操作孔に挿通されて庫内に一端側が突出して、該一端側を該本体部材側方向に押すことによって前記ラッチ部材を前記ラッチ受け部材から離間させる押さえ部材と、
前記押さえ部材の他端側を前記ハンドルに連結する連結部材と、
を備え、
前記押さえ部材は、前記ハンドルの回動に従って貫通孔内を軸方向に移動するように他端側が前記連結部材に連結されていることを特徴とするドアロック装置。
【請求項２】
前記連結部材は、前記支軸に対して同芯軸上に前記ハンドルの操作と独立して回動可能に設けられて、該ハンドルが回動された場合には、該ハンドルと共に所定回動方向に回動されて、前記ラッチ部材を付勢力に抗して内側方向に移動させて前記ラッチ受け部材から離間させる作動部材を有し、
前記押さえ部材は、前記作動部材の回動に従って貫通孔内を軸方向に移動するように他端側が該作動部材に連結され、庫内に突出する一端側が前記本体部材側方向に押された場合には、該作動部材を前記所定回動方向に回動させて前記ラッチ部材を前記ラッチ受け部材から離間させることを特徴とする請求項１に記載のドアロック装置。
【発明の詳細な説明】
【技術分野】
【０００１】
本発明は、冷却貯蔵庫の庫内から断熱扉のロック状態を解除できるドアロック装置に関し、特に、断熱扉の裏面側から前面側に貫通される貫通孔に挿通される押さえ部材を庫内から押すことによってロック状態を解除できるドアロック装置に関するものである。
【背景技術】
【０００２】
従来よりプレハブ冷凍冷蔵庫等の断熱扉を閉じた状態で、一人で庫内作業をしている場合に、作業終了後等必要に応じて押さえ部材等を庫内から押すことによって、ロック状態を解除できるドアロック装置に関し種々提案されている。
例えば、冷蔵庫の内側から解錠ロッドを押圧すると、解錠ロッドの頭部が解錠片の凹部底面を押し上げ、この状態でさらに解錠ロッドを押圧すると、解錠片の回動進行によって解錠片の傾斜面がロックブロックの円柱体に当接し、ついでこの円柱体を後方に押圧するようになる。そして、この押圧によってロックブロックは後退し、ロックブロックのロック片がケーシング内に没入し、ロック片のフック部材に対する係止状態が解除されるように構成されたドアロック装置が提案されている（例えば、特許文献１参照。）。
そして、このような構成により、冷蔵庫のドアＤが閉止され、しかも外から施錠された状態であっても、冷蔵庫の内側から解錠ロッド９を押し込むだけのワンタッチ操作で冷蔵庫のドアのロック状態を解除できる。
【０００３】
一方、解錠ロッドは、冷蔵庫のドアの裏面側から前面側に貫通する貫通孔に挿通され、通常時及びハンドルを操作する時には、この貫通孔内に静止状態にあり、冷蔵庫内で作業終了後、この解錠ロッドを押し込んで、ドアのロック状態を解除するため、解錠ロッドが貫通孔内で凍結固着した場合には、庫内からドアのロック状態を解除できず、作業者が冷蔵庫内に閉じこめられる虞がある。そのため、庫内に入る前に、ドアを開けた状態で解錠ロッドが確実に動くことを確認点検する必要がある。
【０００４】
また、解除ロッドの貫通孔内での凍結固着を防止するため、貫通孔内の外端部に気水密性リングパッキングを挿入して、凍結防止を行う構成が提案されている（例えば、特許文献２参照。）。
更に、庫内に緊急脱出用ハンマ等を常備しておき、解錠ロッドが貫通孔内で凍結固着した場合には、解錠ロッドの操作用ノブを取り外して、この解錠ロッドの庫内側頭部を緊急脱出用ハンマ等で叩いて、ドアのロック状態を解除する構成が提案されている（例えば、特許文献３参照。）。
【特許文献１】特開平９−１５８５７５号公報（段落（００５４）〜（００５６）、図６〜図７）
【特許文献２】実公平２−４５７４６号公報（第２頁右欄第３３行目〜第３頁左欄第２９行目、第１図〜第４図）
【特許文献３】実開昭６２−１３１０６７号公報（第１１頁第３行目〜同頁第１９行目、第１図〜第３図）
【発明の開示】
【発明が解決しようとする課題】
【０００５】
しかしながら、上述した従来の構成を用いたドアロック装置においては、庫内に入る前の解錠ロッドの動作確認を忘れてしまい、実施されないことがあるという問題がある。また、解錠ロッドが挿通される貫通孔の外側端縁部に気水密性リングパッキングを挿入した場合には、数年に渡って長期間使用した場合には、この気水密性リングパッキングに断裂が発生するという問題がある。また、この貫通孔内にワセリン等を充填した場合には、ワセリン等の経年変化によって充填量の減少、性能劣化などが発生するという問題がある。更に、庫内に緊急脱出用ハンマ等を常備しても、庫内灯を点灯していない時に誤って断熱扉が閉じられた場合や、停電等の場合に、庫内が暗いため緊急脱出用ハンマ等を容易に見つけることができず、解錠ロッドの頭部を叩いて貫通孔内の氷を破壊し、断熱扉を開放して迅速に庫外に出ることが困難になるという問題がある
【０００６】
そこで、本発明は、上述した問題点を解決するためになされたものであり、断熱扉の裏面側から前面側に貫通される貫通孔内における押さえ部材の凍結固着を簡易な構成で確実に防止し、万一、この貫通孔内で押さえ部材が凍結固着した場合には、庫内に入る前にこの凍結を確実に検出でき、貫通孔内の氷を破壊後、庫内に入ることが可能なドアロック装置を提供することを目的とする。
【課題を解決するための手段】
【０００７】
前記目的を達成するため請求項１に係るドアロック装置は、冷却貯蔵庫の前面に開設される出入口用開口部の一側端縁部に回動可能に軸支される断熱扉の反ヒンジ側の前面に取り付けられる本体部材と、前記本体部材に支軸によって回動可能に軸支されるハンドルと、前記本体部材から外側方向に突出するように付勢されて、先端部が前記出入口用開口部の他側端縁部の前面部に装着されるラッチ受け部材に係合して、前記ハンドルが回動された場合には、この付勢力に抗して内側方向に移動して前記ラッチ受け部材から離間するラッチ部材と、前記断熱扉の裏面側から前面側に貫通される貫通孔に挿通されると共に、前記本体部材の前記貫通孔に対向して穿設される操作孔に挿通されて庫内に一端側が突出して、該一端側を該本体部材側方向に押すことによって前記ラッチ部材を前記ラッチ受け部材から離間させる押さえ部材と、前記押さえ部材の他端側を前記ハンドルに連結する連結部材と、を備え、前記押さえ部材は、前記ハンドルの回動に従って貫通孔内を軸方向に移動するように他端側が前記連結部材に連結されていることを特徴とする。
【０００８】
また、請求項２に係るドアロック装置は、請求項１に記載のドアロック装置において、前記連結部材は、前記支軸に対して同芯軸上に前記ハンドルの操作と独立して回動可能に設けられて、該ハンドルが回動された場合には、該ハンドルと共に所定回動方向に回動されて、前記ラッチ部材を付勢力に抗して内側方向に移動させて前記ラッチ受け部材から離間させる作動部材を有し、前記押さえ部材は、前記作動部材の回動に従って貫通孔内を軸方向に移動するように他端側が該作動部材に連結され、庫内に突出する一端側が前記本体部材側方向に押された場合には、該作動部材を前記所定回動方向に回動させて前記ラッチ部材を前記ラッチ受け部材から離間させることを特徴とする。
【発明の効果】
【０００９】
請求項１に係るドアロック装置では、ハンドルを回動すると、ラッチ部材が付勢力に抗して内側方向に移動されてラッチ受け部材から離間され、断熱扉は開扉可能となる。また、ハンドルには、断熱扉の裏面側から前面側に貫通される貫通孔に挿通されると共に、本体部材の該貫通孔に対向して穿設される操作孔に挿通されて庫内に一端側が突出する押さえ部材の他端側が連結部材を介して連結され、このハンドルの回動に従って貫通孔内を軸方向に移動する。また、この押さえ部材の庫内に突出する一端側が本体部材側方向に押された場合には、ラッチ部材がラッチ受け部材から離間されて、断熱扉は開扉可能となる。
【００１０】
これにより、ハンドルを回動させることによって、連結部材を介して押さえ部材が貫通孔内を軸方向に移動する。このため、冷却貯蔵庫の庫内に入る場合に、ハンドルを回動させれば、常に押さえ部材が貫通孔内を同時に動くため、貫通孔内における押さえ部材の凍結固着を防止することができる。また、万一、この貫通孔内で押さえ部材が凍結固着した場合には、庫内に入る前に、ハンドルの回動力の大きさで凍結固着を確実に検出でき、このハンドルを回動させて押さえ部材を動かすことによって、貫通孔内の氷を破壊して凍結固着を解消後、庫内に入ることが可能となる。
従って、作業者は、冷却貯蔵庫に入る前に、押さえ部材の動作確認を特別にする必要が無くなり、作業安全性の向上を図ることができる。また、庫内に緊急脱出用ハンマ等を常備する必要が無くなり、庫内灯を点灯していない時に誤って断熱扉が閉じられた場合や、停電等の場合にも、断熱扉を確実に開放して迅速に庫外に出ることができる。
【００１１】
また、請求項２に係るドアロック装置では、ハンドルを回動すると作動部材が該ハンドルと共に所定回動方向に回動される。また、作動部材は、所定回動方向に回動することによって、ラッチ部材を付勢力に抗して内側方向に移動させてラッチ受け部材から離間させ、断熱扉は開扉可能となる。また、作動部材には、断熱扉の裏面側から前面側に貫通される貫通孔に挿通されると共に、本体部材の該貫通孔に対向して穿設される操作孔に挿通されて庫内に一端側が突出する押さえ部材の他端側が連結され、この作動部材の回動に従って貫通孔内を軸方向に移動する。また、この押さえ部材の庫内に突出する一端側が本体部材側方向に押された場合には、該作動部材を所定回動方向に回動させてラッチ部材をラッチ受け部材から離間させて、断熱扉は開扉可能となる。
【００１２】
これにより、ハンドルを回動させることによって、作動部材が所定回動方向に回動し、押さえ部材が貫通孔内を軸方向に、即ち、庫外方向に移動する。このため、冷却貯蔵庫の庫内に入る場合に、ハンドルを回動させれば、常に押さえ部材が貫通孔内を同時に動くため、貫通孔内における押さえ部材の凍結固着を防止することができる。また、万一、この貫通孔内で押さえ部材が凍結固着した場合には、庫内に入る前に、ハンドルの回動力の大きさで凍結固着を確実に検出でき、このハンドルを回動させて押さえ部材を動かすことによって、貫通孔内の氷を破壊して凍結固着を解消後、庫内に入ることが可能となる。
従って、作業者は、冷却貯蔵庫に入る前に、押さえ部材の動作確認を特別にする必要が無くなり、作業安全性の向上を図ることができる。また、庫内に緊急脱出用ハンマ等を常備する必要が無くなり、庫内灯を点灯していない時に誤って断熱扉が閉じられた場合や、停電等の場合にも、断熱扉を確実に開放して迅速に庫外に出ることができる。
【発明を実施するための最良の形態】
【００１３】
以下、本発明に係るドアロック装置を具体化した一実施例について、図面を参照しつつ、詳細に説明する。
【実施例１】
【００１４】
先ず、本実施例に係るドアロック装置が取り付けられるプレハブ冷凍冷蔵庫の概略構成について図１に基づいて説明する。図１は本実施形態に係るドアロック装置が取り付けられるプレハブ冷凍冷蔵庫の前面部分の要部切欠斜視図である。
【００１５】
図１に示すように、プレハブ冷凍冷蔵庫１は、断熱パネル２を複数枚連結することにより構成され、そして、プレハブ冷凍冷蔵庫１の前面には出入口用開口部１Ａが開設され、この出入口用開口部１Ａを閉塞する断熱扉３がヒンジ等を介して開閉自在に取り付けられている。また、断熱扉３の反ヒンジ側（図１中、左側）の前面端縁部には後述のドアロック装置４がネジ止めによって取り付けられている（図２参照）。また、プレハブ冷凍冷蔵庫１の前面のドアロック装置４に対向する出入口用開口部１Ａ近傍の位置には、ドアロック装置４が、閉塞時に係合する係合部材５がネジ止め等により取り付けられている。この係合部材５は、前面側にドアロック装置４のラッチ部材６（図２参照）が係合する係止孔５Ａが形成されている。
【００１６】
次に、ドアロック装置４の概略構成について図２に基づいて説明する。図２は本実施例に係るドアロック装置４の概略構成を示し、断熱扉３の閉塞時の要部水平断面図である。
図２に示すように、ドアロック装置４が前面に取り付けられる断熱扉３は、薄いステンレス板や鋼板等の内壁板３Ａ、外壁板３Ｂ、内壁板３Ａと外壁板３Ｂとの間に充填されるウレタンフォーム等からなる発泡材７、内壁板３Ａ及び外壁板３Ｂの内面に両面テープ等により固着された発泡材よりなるブロック部材８等から構成されている。また、このブロック部材８の略中央部には前後方向（図２中、上下方向）に貫通孔８Ａが形成され、内壁板３Ａ及び外壁板３Ｂに穿設される各貫通孔９Ａ、９Ｂと前後方向に連通されている。
【００１７】
また、押さえ部材１１を構成する操作棒１２が、略円環状の庫内押金具１５に挿通されて各貫通孔９Ａ、８Ａ、９Ｂに庫内から外側方向に移動可能に挿入されている。また、この庫内押金具１５は、内壁板３Ａにビス止めされている。また、この操作棒１２の庫内に突出する一端側に形成されたネジ部には、ネジ孔が内側中央部に形成された側面視略半球状のノブ１３が取り付けられて、押さえ部材１１を構成している。また、通常時は、押さえ部材１１は、庫内側に所定長さ突き出ている。また、操作棒１２の庫内押金具１５に近い部分の外周部に、一対の各ピン１６が貫通孔８Ａの内面近くまで立設されている。
【００１８】
一方、この押さえ部材１１に対向する外壁板３Ｂの前面側には、ドアロック装置４がネジ止めによって取り付けられている。このドアロック装置４は、鋼板等により形成される本体部材１６と、この本体部材１６の前面側（図２中、上側面）に形成される切欠溝部１７の基端部に横架されるハンドルシャフト１８を介して回動可能に軸支されるハンドル１９等から構成されている。
【００１９】
また、本体部材１６の背面部の貫通孔８Ａに対向する位置には、操作棒１２が挿通される貫通孔１６Ａが穿設されると共に、この貫通孔１６Ａ外周部には前側方向（図２中、上側方向）に所定高さの筒部１６Ｂが立設されている。
また、本体部材１６の係合部材５に対向する端面部には、ラッチ部材６が、ラッチスプリング２０によって外側方向に付勢されると共に、軸方向（図２中、左右方向）に摺動可能に設けられている。また、このラッチ部材６の内側端縁部（図２中、右側端縁部）には、ラッチ軸２２が垂設されている。
【００２０】
また、ハンドル１９の内側に形成される凹部１９Ａ内には、平面視略三角形の作動板２５がハンドルシャフト１８に挿通されて回動可能に軸支されている。また、この作動板２５のラッチ部材６側の前側端縁部２５Ａは、ラッチ軸２２に対向する側面部分が略円弧状に形成されると共に、前側端縁部分が平面視かぎ爪状に形成されてラッチ軸２２に当接されている。また、この作動板２５のハンドル１９の握り部１９Ｂ側の後側端縁部２５Ｂは、操作棒１２の他端側にほぼ対向している。また、この作動板２５の断熱扉３側の側面部には、ハンドルシャフト１８と後側端縁部２５Ｂとのほぼ中間位置に、ハンドル１９の凹部１９Ａ内に立設される作動ピン２７が当接されている。
【００２１】
これにより、作動板２５は、ラッチスプリング２０によって外側方向（図２中、左側方向）に付勢されるラッチ軸２２を介してラッチ部材６側に回動するように付勢されている。そして、ハンドル１９は、外側方向（図２中、左側方向）に回動するように付勢される作動板２５によって作動ピン２７が裏側方向（図２中、下側方向）に押下され、断熱扉３側に回動するように付勢されている。
【００２２】
また、この作動板２５の上側には、解除板３１がハンドルシャフト１８の外周面に前面側側面部のラッチ部材６側端縁部が当接した状態で、ハンドルシャフト１８回りに回動可能に配設されている。また、解除板３１の作動ピン２７に対向する部分には、該作動ピン２７が挿通される案内溝部３２が形成されている。また、この案内溝部３２は、ハンドルシャフト１８の軸心を中心軸とする同心円上に、平面視円弧状に切り欠かれて形成されている。このため、解除板３１は、案内溝部３２に挿通された作動ピン２７によってハンドルシャフト１８の外周面に当接した状態で、ハンドルシャフト１８の軸心を中心軸として回動可能に設けられている。また、通常時には、作動ピン２７は、案内溝部３２のハンドル１９の握り部１９Ｂ側の端縁部の近傍に位置し、若しくはこの端縁部に当接している。
【００２３】
また、この解除板３１のハンドル１９の握り部１９Ｂ側の後側端縁部３１Ｂには、後側（図２中、下側）の側端縁部から作動板２５の後側端縁部２５Ｂに対向する位置に達するまで略直角下側方向に延出されるフランジ部３３が形成されている。また、このフランジ部３３は、作動板２５と所定隙間（例えば、１ｍｍ〜５ｍｍの隙間である。）を形成するように設けられている。また、このフランジ部３３には、操作棒１２の前側先端部（図２中、上側先端部）が挿通される左右方向（図２中、左右方向）に長い横溝（不図示）が穿設されている。また、解除板３１の後側端縁部３１Ｂには、操作棒１２の先端部に立設された連結ピン３５が下側から挿入される左右方向に長い横長溝部３７が切り欠かれて形成されている。
【００２４】
これにより、操作棒１２の前側端縁部は、連結ピン３５を介して解除板３１に連結される。また、通常時に、解除板３１のフランジ部３３が作動板２５に当接した場合には、外側方向（図２中、左側方向）に回動するように付勢される作動板２５によって、裏側方向に押下される。従って、通常時には、解除板３１のフランジ部３３は、筒部１６Ｂの先端部と作動板２５と間に位置するように構成されている。また、解除板３１が回動した場合には、連結ピン３５が横長溝部３７を移動しつつ、操作棒１２が各貫通孔９Ａ、８Ａ、９Ｂ、１６Ａ及び筒部１６Ｂを前後方向に移動する
【００２５】
上記のように構成されたドアロック装置４を断熱扉３に取り付けるには、先ず、操作棒１２からノブ１３を外した状態で、該操作棒１２を各貫通孔９Ｂ、８Ａ、９Ａに合わせながら挿入して、本体部材１６を断熱扉３の前面部にネジ止めする。そして、庫内側に突出した操作棒１２に庫内押金具１５を挿入して、断熱扉３の裏面にネジ止め後、ノブ１３を操作棒１２に螺合する。
【００２６】
また、断熱扉３の内側面の外周縁には、ゴム等の弾性変形可能な材料から形成されたマグネット吸着式のパッキン部材３Ｐが取り付けられており、パッキン部材３Ｐは開口部周縁の断熱パネル２の前端縁（図１中手前側）に若干押圧された状態で当接される。また、断熱扉３の閉塞時には、ラッチ部材６はラッチスプリング２０によって外側方向に付勢されると共に、ラッチ部材６の外側端縁部は、係合部材５の係止孔５Ａに係合されている。
これにより、断熱扉３の開放が防止される。また、このときにはパッキン部材３Ｐは開口部周縁の断熱パネル２の前端内面に取り付けられた不図示のジョイナの前端縁（図１中手前端）に当接される。これにより、プレハブ冷凍冷蔵庫１内の冷気は、パッキン部材３Ｐを介して庫外に漏出することが防止され、プレハブ冷凍冷蔵庫１の庫内は気密が保持される。
【００２７】
次に、上記のように構成されたドアロック装置４のハンドル１９を手前方向に引いた場合について図３に基づいて説明する。図３は本実施例に係るドアロック装置４のハンドル１９を手前方向に引いて開放可能になった状態を模式的に示す要部水平断面図である。
図３に示すように、ハンドル１９を手前方向（矢印４０方向）に引いた場合には、ハンドル１９はハンドルシャフト１８を中心に前側方向に回動される。また、ハンドル１９の凹部１９Ａ内に立設される作動ピン２７もハンドルシャフト１８を中心に前側方向に回動されるため、作動板２５は、作動ピン２７の回動によってラッチ軸２２を介したラッチスプリング２０の付勢力に抗して該作動ピン２７と同方向（図３中、反時計方向）に回動される。これにより、作動板２５の前側端縁部２５Ａがラッチ軸２２に当接しつつ内側方向に回動するため、ラッチ軸２２は内側方向に移動して、ラッチ部材６がラッチスプリング２０のバネ力に抗して、図３中右側方向に移動し、ラッチ部材６と係止部材５との係合が解除される。そして、更に、ハンドル１９をパッキン部材３Ｐの吸着力に抗して手前側に引くことにより、断熱扉３を開放することができる。
【００２８】
また、ハンドル１９を手前方向（矢印４０方向）に引いた場合には、作動ピン２７は、解除板３１の案内溝部３２のハンドル１９の握り部１９Ｂ側の端縁部（図３中、右側端縁部）に当接した状態で、ハンドルシャフト１８の軸心を中心とする円弧状を移動するため、この解除板３１もハンドルシャフト１８の外周面に当接した状態で、ハンドルシャフト１８の軸心を中心軸として前側方向（図３中、反時計方向）に回動される。また、解除板３１の後側端縁部３１Ｂは、筒部１６Ｂから離れて前側方向に回動されるため、この後端縁部３１Ｂの横長溝部３７に挿通される連結ピン３５が、この横長溝内３７を移動しつつ手前側方向（図３中、上側方向）に移動して、操作棒１２が各貫通孔９Ａ、８Ａ、９Ｂ、１６Ａ内を前側方向に移動され、押さえ部材１１が庫外方向（矢印４１方向）に移動する。
【００２９】
次に、上記のように構成されたドアロック装置４の押さえ部材１１を庫外方向に押した場合について図４に基づいて説明する。図４は本実施例に係るドアロック装置４の押さえ部材１１を庫内から外側方向に押して開放可能になった状態を模式的に示す要部水平断面図である。
図４に示すように、押さえ部材１１を庫外方向（矢印４２方向）に押さえた場合には、操作棒１２は各貫通孔９Ａ、８Ａ、９Ｂ、１６Ａ及び筒部１６Ｂを庫外方向（図４中、上方向）に移動するため、連結ピン３５が横長溝部３７を移動しながら解除板３１をハンドルシャフト１８回りに前側方向（図４中反時計方向）に回動させる。また、解除板３１の後側端縁部３１Ｂに設けられたフランジ部３３は、作動板２５の後側端縁部２５Ｂに当接して、該後側端縁部２５Ｂをハンドルシャフト１８回りに前側方向（図４中反時計方向）に回動するため、作動板２５は、ラッチ軸２２を介したラッチスプリング２０の付勢力に抗して前側方向（図４中反時計方向）に回動される。これにより、作動板２５の前側端縁部２５Ａがラッチ軸２２に当接しつつ内側方向に回動するため、ラッチ軸２２は内側方向に移動して、ラッチ部材６がラッチスプリング２０のバネ力に抗して、図４中右側方向に移動し、ラッチ部材６と係止部材５との係合が解除される。そして、更に、押さえ部材１１及び断熱扉３をパッキン部材３Ｐの吸着力に抗して庫外方向に押すことによって、断熱扉３を開放することができる。
【００３０】
ここで、プレハブ冷凍冷蔵庫１は、冷却貯蔵庫として機能する。また、ハンドルシャフト１８は、支軸として機能する。また、係合部材５は、ラッチ受け部材として機能する。また、作動板２５と解除板３１は、作動部材を構成する。
【００３１】
以上詳細に説明した通り、本実施例に係るドアロック装置４では、ハンドル１９を手前方向に引いた場合には、作動板２５は、作動ピン２７と同方向に回動され、該作動板２５の前側端縁部２５Ａがラッチ軸２２に当接しつつ内側方向に回動するため、ラッチ軸２２は内側方向に移動して、ラッチ部材６と係止部材５との係合が解除される。また同時に、作動ピン２７は、解除板３１をハンドルシャフト１８を中心に前側方向に回動するため、操作棒１２は、連結ピン３５が横長溝部３７を移動しつつ、解除板３１の回動に伴って、各貫通孔９Ａ、８Ａ、９Ｂ、１６Ａ内を前側方向に移動され、押さえ部材１１が庫外方向に移動する。
【００３２】
これにより、プレハブ冷凍冷蔵庫１の庫内に入る場合に、ハンドル１９を回動させれば、常に押さえ部材１１の操作棒１２が各貫通孔９Ａ、８Ａ、９Ｂ、１６Ａ内を同時に動くため、各貫通孔９Ａ、８Ａ、９Ｂ、１６Ａ内における押さえ部材１１を構成する操作棒１２の凍結固着を防止することができる。また、万一、各貫通孔９Ａ、８Ａ、９Ｂ、１６Ａ内で押さえ部材１１を構成する操作棒１２が凍結固着した場合には、庫内に入る前に、ハンドル１９の回動力の大きさで凍結固着を確実に検出でき、このハンドル１９を回動させて押さえ部材１１を動かすことによって、各貫通孔９Ａ、８Ａ、９Ｂ、１６Ａ内の氷を破壊して凍結固着を解消後、庫内に入ることが可能となる。
従って、作業者は、プレハブ冷凍冷蔵庫１に入る前に、押さえ部材１１の動作確認を特別にする必要が無くなり、作業安全性の向上を図ることができる。また、プレハブ冷凍冷蔵庫１の庫内に緊急脱出用ハンマ等を常備する必要が無くなり、庫内灯を点灯していない時に誤って断熱扉３が閉じられた場合や、停電等の場合にも、断熱扉３を確実に開放して迅速に庫外に出ることができる。
【００３３】
尚、本発明は前記実施例に限定されることはなく、本発明の要旨を逸脱しない範囲内で種々の改良、変形が可能であることは勿論である。例えば、以下のようにしてもよい。
【実施例２】
【００３４】
（Ａ）前記実施例では、作動板２５と解除板３１とを設け、解除板３１に形成した横長溝部３７に操作棒１２の連結ピン３５を挿入したが、解除板３１を設けず、作動板２５の後側端縁部２５Ｂに横長溝部３７を形成し、操作棒１２の連結ピン３５をこの横長溝部３７に挿入するように構成してもよい。
【実施例３】
【００３５】
（Ｂ）前記実施例では、庫内から押さえ部材１１を押さえた場合には、ハンドル１９は回動していないが、庫内から押さえ部材１１を押さえた場合にも、ハンドル１９が回動するように構成してもよい。
【実施例４】
【００３６】
（Ｃ）前記実施例では、作動板２５と解除板３１とを設け、解除板３１に形成した横長溝部３７に操作棒１２の連結ピン３５を挿入したが、作動板２５と解除板３１とを設けず、図５に示すように、ハンドル１９に操作棒１２の連結ピン３５を直接連結する構成にしてもよい。尚、図５中において、上記図１乃至図４の符号と同一符号は、前記実施例に係るドアロック装置４と同一あるいは相当部分を示すものである。
具体的には、図５に示すように、ハンドル１９のラッチ部材６側の前端縁部をラッチ軸２２に対向する位置まで下方に延出して、側面部分が略円弧状に形成されると共に、平面視かぎ爪状に形成されてラッチ軸２２に当接される延出部５１を形成する。また、この延出部５１の握り部１９Ｂ側端縁部を該握り部１９Ｂ側方向に延出して、操作棒１２の前側先端部（図５中、上側先端部）が対向する延出部５２を形成する。そして、この延出部５２には、操作棒１２の先端部に立設された連結ピン３５が下側から挿入される左右方向に長い横長溝部５３が切り欠かれて形成されている。
【００３７】
これにより、操作棒１２の前側端縁部は、連結ピン３５を介してハンドル１９に連結される。また、ドアロック装置４のハンドル１９を手前方向に引いた場合には、ハンドル１９はハンドルシャフト１８を中心に前側方向に回動され、延出部５１がラッチ軸２２に当接しつつ内側方向に回動するため、ラッチ軸２２は内側方向に移動して、ラッチ部材６がラッチスプリング２０のバネ力に抗して、図５中右側方向に移動し、ラッチ部材６と係止部材５との係合が解除される。また、ハンドル１９を手前方向に引いた場合には、延出部５２の横長溝部５３に挿通される連結ピン３５が、この横長溝内５３を移動しつつ手前側方向（図５中、上側方向）に移動して、操作棒１２が各貫通孔９Ａ、８Ａ、９Ｂ、１６Ａ内を前側方向に移動され、押さえ部材１１が庫外方向に移動する。また、押さえ部材１１を庫外方向に押さえた場合には、操作棒１２は各貫通孔９Ａ、８Ａ、９Ｂ、１６Ａ及び筒部１６Ｂを庫外方向（図５中、上方向）に移動するため、連結ピン３５が横長溝部５３を移動しながらハンドル１９をハンドルシャフト１８回りに前側方向（図５中反時計方向）に回動させ、ラッチ部材６と係止部材５との係合が解除される。
【００３８】
従って、図５に示す構成により、プレハブ冷凍冷蔵庫１の庫内に入る場合に、ハンドル１９を回動させれば、常に押さえ部材１１の操作棒１２が各貫通孔９Ａ、８Ａ、９Ｂ、１６Ａ内を同時に動くため、各貫通孔９Ａ、８Ａ、９Ｂ、１６Ａ内における押さえ部材１１を構成する操作棒１２の凍結固着を防止することができる。また、万一、各貫通孔９Ａ、８Ａ、９Ｂ、１６Ａ内で押さえ部材１１を構成する操作棒１２が凍結固着した場合には、庫内に入る前に、ハンドル１９の回動力の大きさで凍結固着を確実に検出でき、このハンドル１９を回動させて押さえ部材１１を動かすことによって、各貫通孔９Ａ、８Ａ、９Ｂ、１６Ａ内の氷を破壊して凍結固着を解消後、庫内に入ることが可能となる。
【図面の簡単な説明】
【００３９】
【図１】本実施例に係る断熱扉のドアロック装置が取り付けられるプレハブ冷凍冷蔵庫の前面部分の要部切欠斜視図である。
【図２】図１のドアロック装置の概略構成を示し、断熱扉閉塞時の要部水平断面図である。
【図３】図１のドアロック装置のハンドルを手前方向に引いて開放可能になった状態を模式的に示す要部水平断面図である。
【図４】図１のドアロック装置の押さえ部材を庫内から外側方向に押して開放可能になった状態を模式的に示す要部水平断面図である。
【図５】他の実施例に係るドアロック装置の概略構成を示し、断熱扉閉塞時の要部水平断面図である。
【符号の説明】
【００４０】
１                        プレハブ冷凍冷蔵庫
３                        断熱扉
４                        ドアロック装置
５                        係合部材
６                        ラッチ部材
８Ａ、９Ａ、９Ｂ、１６Ａ  貫通孔
１１                      押さえ部材
１２                      操作棒
１６                      本体部材
１８                      ハンドルシャフト
１９                      ハンドル
２０                      ラッチスプリング
２２                      ラッチ軸
２５                      作動板
２７                      作動ピン
３１                      解除板
３２                      案内溝部
３３                      フランジ部
３５                      連結ピン
３７、５３                横長溝部
５１、５２                延出部
【図１】
2007139267.tif 000003
【図２】
2007139267.tif 000004
【図３】
2007139267.tif 000005
【図４】
2007139267.tif 000006
【図５】
2007139267.tif 000007